(57)【要約】【課題】  銀行券、証券、商品券等、貴重印刷物の印刷物態様に関し、特には、視覚障害者が指先の感覚で識別する「触感識別性」が向上するとともに、健常者が視覚でも識別する「視覚識別性」が向上する識別マークを有する貴重印刷物に関する。【解決手段】  視覚障害者が指先の感覚で識別する「触感識別性」が向上するとともに、健常者が視覚でも識別する「視覚識別性」が向上する識別マークを有した貴重印刷物に関し、具体的には、貴重印刷物における基材の一部分に、視覚及び／又は触感による識別が可能な識別領域を設け、その識別領域に少なくとも二つ以上の識別マークを形成し、そのうちの一つが、フロッキー加工（静電気植毛加工）によりパイル（短繊維）を投錨した識別マークからなり、さらに少なくとも二つ以上の識別マークは、それぞれ異なった表面粗さを有する。【選択図】  図１
2007094132.tif 000002
【特許請求の範囲】
【請求項１】
基材の一部分に視覚及び／又は触感による識別が可能な識別領域を設けた貴重印刷物であって、
前記識別領域に少なくとも二つ以上の特定形状の識別マークを形成し、前記少なくとも二つ以上の識別マークのうちの一つが、パイルを投錨したフロッキー加工層からなり、前記少なくとも二つ以上の識別マークは、それぞれ異なった表面粗さを有することを特徴とするフロッキー加工層を有する貴重印刷物。
【請求項２】
前記少なくとも二つ以上の識別マークの特定形状が、同じ形状及び／又は異なる形状で、前記少なくとも二つ以上の識別マークの色彩が、同じ色彩及び／又は異なる色彩で、前記少なくとも二つ以上の識別マークの配置が、近傍及び／又は一部分積層されてなることを特徴とする請求項１記載のフロッキー領域を有する貴重印刷物。
【発明の詳細な説明】
【技術分野】
【０００１】
本発明は、銀行券、証券、商品券等、貴重印刷物の印刷物態様に関し、特には、視覚障害者が指先の感覚で識別する「触感識別性」が向上するとともに、健常者が視覚でも識別する「視覚識別性」が向上する識別マークを有する貴重印刷物に関する。
【背景技術】
【０００２】
従来から銀行券には、視力の不自由な視覚障害者の方々に対しても、券種の判別が可能なように、銀行券のある特定部分に凹凸形状や凸形状などの形状を有した領域を設け、その表面を指で触って（以下、「触感」という。）形状の違いによって券種判別可能なように工夫が施されている。
【０００３】
現在、日本で発行されている銀行券では、銀行券の表面の右下部及び左下部において、一万円券はＬ字形状、五千円券は八角形状、二千円券は丸形状が縦に３つ、千円券は横棒形状（以下、「識別マーク」という。）が識別マークとして凹版印刷で施されている。この識別マークの触感及びその形状により券種判別を行っている。
【０００４】
このように、識別マークの識別性を向上させるため、形状を変えたり触感によって識別性を高めたりと、製紙製造技術や印刷製造技術を駆使して識別マークが施されているが、現状よりも、もっと識別性が高く、さらにはより簡単に分かりやすく識別できる識別マークの付与が望まれているのが現状である。
【０００５】
前述したような、貴重印刷物の識別性を向上させるための技術として、基材の一部に識別マークを付与し、その識別マークの近傍に光学的変化素子（ホログラム）を貼付した貴重印刷物が提案されている。これは、光学的変化素子（ホログラム）と識別マークの表面状態の触感による差（ツルツルとザラザラ）と、識別マークの凸部と用紙表面との高低差による形状確認の２通りの識別方法を備えている（例えば、特許文献１参照）。
【０００６】
また、一般的な視覚障害者の文字形態としては点字が広く知られている。点字の技術として、文字を印刷した物品の表面に、点字を形成した透明なシート類を接着してなる点字形成物が提案されている。これは、視覚により識別可能な文字と、触覚により識別可能な点字を同じ領域に配しており、文字と点字の識別性を損なうことなく表示スペースを縮小し、点字及び文字の情報密度を高めることを可能としたものである（例えば、特許文献２参照）。
【０００７】
さらに、健常者が目視によって偽造紙幣の区別が可能で、かつ視覚障害者が指による触覚によって真贋判別が可能な技術の一つとして、金属ローラの一方に金属製の凸版を固着し、２本の金属ローラ間に用紙を走行させ、用紙に加圧を加えることで用紙に凹部を設けるエンボス加工用紙が提案されている。これは、健常者が目視によって真贋識別をするための透かし効果と、視覚障害者が指による触感で真贋識別をするためのエンボス効果の双方を可能としたものである（例えば、特許文献３参照）。
【０００８】
また、健常者が目視によって偽造紙幣の区別が可能で、かつ視覚障害者が指による触覚によって真贋判別が可能な技術の一つとして、点字、文字、記号、英数字、模様で情報を凹凸で構成し、それらの凹凸を紙幣の両面、またはどちらか片面に施した紙幣が提案されている（例えば、特許文献４参照）。
【０００９】
一方、偽造防止効果のある用紙として、用紙の一部に植毛部を設けた用紙が提案されている。この植毛部については、用紙の表面に接着剤を塗布して、その上に植毛を形成してなるか、植毛したラベルを用紙に貼付してなる用紙である（例えば、特許文献５参照）。
【００１０】
【特許文献１】特開２００４−５８６０５号公報
【特許文献２】実開平０７−２３３６１号公報
【特許文献３】特開２００１−２６２４９７号公報
【特許文献４】実開平０７−４３３００号公報
【特許文献５】特開２０００−３１８４００号公報
【発明の開示】
【発明が解決しようとする課題】
【００１１】
しかしながら、特許文献１に関して、識別マークと用紙表面の高低差により識別性を向上させるためには、識別マークを凹版印刷で付与する等、盛りを出す必要がある。しかし、ＡＴＭや自動販売機など機械読み取り精度の関係上、凹版印刷の高さ方向（盛り）に制約があることから、他の印刷方法や加工方法による識別マークの付与が求められている。
【００１２】
また、特許文献２に関して、点字は、縦３点×横２点の６点の組み合わせからなる点を、触感により読み取る文字であるが、点字には文字の大きさや表記の仕方にルールがあり、拡大や縮小ができない文字である。こういったことから、点字を識別マークに使用するには、さまざまな制約がある。
【００１３】
さらに、特許文献３、及び特許文献４に関して、例えば、４種類の銀行券ともに同一個所に凹部、または凹凸部を設けた場合、形状に相当の変化を持たせないと券種別の識別には困難性がある。もしくは、凹部を設ける位置を券種別に変えた場合は、表裏を明確にするとともに天地方向も明確にする必要がある。
【００１４】
また、特許文献５に関して、例えば、４種類の銀行券や多種類存在する商品券等を、用紙に形成した植毛部の形状に変化を持たせ、その形状の違いにより券種の識別を行おうとした場合、形状に相当の変化を持たせない限り券種別の識別が困難である。特に、券種が多種類存在する場合、券種ごとに明確な形状変化を必要とすることから、植毛部のデザインが複雑になる可能性があり、デザインの複雑化は識別を困難にしてしまう。
【００１５】
また、識別マークを付与した貴重印刷物を作成する段階において、ある特定領域だけを凹版印刷などで高くすると、求められている触感による識別性は向上するものの、印刷後の用紙の積載により、凹版印刷部分のインキが乾燥せず裏に移ってしまう裏移り現象が起きたり、さらには積載枚数が多くなると、識別マークを凹版印刷等で付与した特定領域と付与しない領域とでは相当の高低差が出たり、と品質管理、製造管理及び流通適性の問題点が多くある。
【００１６】
本発明は、上記課題の解決を目的とするものであり、視覚障害者が指先の感覚で識別する「触感識別性」が向上するとともに、健常者が視覚でも識別する「視覚識別性」が向上する識別マークを有した貴重印刷物に関し、具体的には、貴重印刷物の一部分に、フロッキー加工（静電気植毛加工）によりパイル（短繊維）を投錨した識別マークを形成することを目的とする。
【課題を解決するための手段】
【００１７】
本発明のフロッキー加工層を有する貴重印刷物は、基材の一部分に視覚及び／又は触感による識別が可能な識別領域を設けた貴重印刷物であって、識別領域にパイルを投錨したフロッキー加工層によって特定形状の識別マークを形成することを特徴とする。
【００１８】
本発明のフロッキー加工層を有する貴重印刷物は、基材の一部分に視覚及び／又は触感による識別が可能な識別領域を設けた貴重印刷物であって、識別領域に少なくとも二つ以上の識別マークを形成し、少なくとも二つ以上の特定形状の識別マークのうちの一つが、パイルを投錨したフロッキー加工層からなり、さらに少なくとも二つ以上の識別マークは、それぞれ異なった表面粗さを有することを特徴とする。
【００１９】
本発明のフロッキー加工層を有する貴重印刷物は、基材の一部分に視覚及び／又は触感による識別が可能な識別領域を設けた貴重印刷物であって、識別領域に少なくとも二つ以上の識別マークを形成し、少なくとも二つ以上の識別マークの特定形状が、同じ形状及び／又は異なる形状で、少なくとも二つ以上の識別マーク色彩が、同じ色彩及び／又は異なる色彩で、少なくとも二つ以上の識別マークの配置が、近傍及び／又は一部分積層されてなることを特徴とする。
【００２０】
本発明のフロッキー加工層を有する貴重印刷物は、基材の一部分に視覚及び／又は触感による識別が可能な識別領域を設けた貴重印刷物であって、識別領域に形成する識別マークが、円形状、多角形状、棒状、図柄、模様、文字、記号、及び／又はそれらの組み合わせからなることを特徴とする。
【００２１】
本発明のフロッキー加工層を有する貴重印刷物は、基材の一部分に視覚及び／又は触感による識別が可能な識別領域を設けた貴重印刷物であって、識別領域に特定形状のパイルを投錨したフロッキー加工層によって識別マークを形成し、そのパイルが、レーヨン、ナイロン、アクリル、ポリエステルからなることを特徴とする。
【発明の効果】
【００２２】
貴重印刷物の識別領域内に、異なる複数の識別マークを異なる付与方法で形成して設けることにより、それぞれの識別マークの表面粗さや形状による触感差を利用することで、識別性が向上する。
【００２３】
視覚障害者が指先の触感で識別する「触感識別性」が向上するとともに、健常者が視覚で識別する「視覚識別性」の向上も得られる。
【００２４】
本発明の貴重印刷物が、偽造を目的としてカラーコピー機や複写機によって複写された場合、視覚的な色彩が再現されてしまう可能性はあっても、フロッキー加工層特有の触感を複写機で再現することは不可能であり、偽造防止効果の向上が図れる。また、フロッキー加工層による識別マークの他に、フロッキー加工層とは別の表面粗さを有する識別マークを設けているため、さらなる偽造防止効果が図れる。
【００２５】
パイルを投錨したフロッキー加工層には、もともとの触感に特徴があるため、０．０１ｍｍ〜０．０５ｍｍ程度の短いパイル長さの凸部でも、より高い識別性が得られる。仮に、パイル長さを長くしてフロッキー加工層を比較的高く形成しても、弾力性を有するパイルを選択し形成すれば、積層枚数が多くなっても上から押圧することにより、貴重印刷物の高低差が発生せず均一な高さでの積層が可能となる。
【００２６】
また、フロッキー加工の製造段階においては、凹版印刷のように識別性向上を目的とするインキ盛りを高くすることによって発生する裏移り現象がなく、高さ（厚み）による品質管理上の問題が発生しない。
【発明を実施するための最良の形態】
【００２７】
次に、本発明の実施形態について図面を用いて説明する。図１は、本発明におけるフロッキー加工層を有した貴重印刷物を示す。図３は、本発明における二種類の識別マークを使用した際の配置例を示す。
【００２８】
図１に示す貴重印刷物は、銀行券（１）の態様を示し、基材となる用紙（２）に図柄、文字、模様などを印刷したものである。この銀行券（１）の用紙（２）のある一部分に、券種（例えば、銀行券の一万円券、五千円券、二千円券、千円券）が触感により識別可能な識別領域（３）を設け、設けた識別領域（３）にフロッキー加工によって特定形状のパイル（５）を投錨したフロッキー加工層によって識別マーク（９）を形成する。
【００２９】
フロッキー加工により投錨したパイル（５）で形成された識別マーク（９）の表面を指で触ると、毛羽立ったような独特の触感を得ることができ、基材である用紙（２）の触感との違いは歴然である。
【００３０】
ここで、フロッキー加工とは静電気植毛加工と言われ、静電塗装等と同じ原理で高圧静電界における静電吸引力を利用したものである。手順として、基材に接着剤を塗布し、その上にパイル（５）を垂直に立たせ（投錨させ）、その後、接着剤を乾燥させることにより投錨したパイル（５）を固定させる加工である。
【００３１】
パイル（５）としては、レーヨン、ナイロン、アクリル、ポリエステルなどを使用することとし、長さは０．０１ｍｍ〜４．０ｍｍ程度の範囲で使用する。パイルの太さが細く、カットの長いパイルの方が風合いは良い。しかし、極端に細く長いパイルを使用すると、パイル同士が絡み合ってしまう可能性がるため、使用するパイルの太さに応じた長さにカットして使用することが好ましい。
【００３２】
また、パイル（５）は所望の色に染色することが可能であるため、銀行券（１）の識別領域（３）の図柄に応じて染色することとする。
【００３３】
接着剤は、エマルジョンタイプとソルベントタイプに分けられ、その分類は主にアクリル系、ウレタン系、エポキシ系、サクサンビニル系、等である。接着剤の選択は、銀行券（１）の識別領域（３）への使用用途に応じて適宜選択して使用することとする。使用用途とは、例えば識別領域（３）に設けるフロッキー加工層の大きさや形状、使用するパイル（５）の太さ長さ、さらには、基材（２）の材質のことをいう。
【００３４】
加工方法としては、パイルの飛昇方向によって４種類の方法がある。１つはパイルを下方より上方へ飛昇させるアップメソド、１つはパイルを上方より下方へ飛昇させるダウンメソド、１つはパイルを横方向に飛昇させるサイドメソド、１つはアップメソドとダウンメソドとを組み合わせて同時に行うアップダウウメソドである。加工方法に関しても、銀行券（１）の識別領域（３）への使用用途に応じて適宜選択して使用することとする。
【００３５】
識別マーク（９）の形状に関しては、円形状、多角形、棒状、図柄、模様、文字、記号など特に限定はないが、識別の容易性を向上させる点を考慮するならば複雑な形状よりも簡易な形状の方が好ましい。
【００３６】
また、識別マーク（９）の大きさに関しては、大きすぎず小さすぎず、指先の大きさに適したサイズにすることが必要であり、識別領域（３）を２５ｍｍ〜３０ｍｍ程度とし、その範囲に収まる程度の識別マークであることとする。
【００３７】
また、識別マーク（９）の色彩に関しては、視覚識別性の向上を図ったものであり、銀行券（１）のデザインに合わせた色彩に染色して形成する。
【００３８】
さらに、識別マーク（９）の形状、大きさ、色彩に関しては、券種別に特徴を持たせることが望ましく、それぞれにおいて差異が明確なほど識別性を向上させるためには有効な手段である。
【００３９】
これまで、識別マークとして、フロッキー加工により投錨したフロッキー加工層１種類のみを形成する実施形態について説明してきたが、識別領域（３）にフロッキー加工層と、フロッキー加工層とは別の異なる識別マークとを組み合わせて形成してもよい。
【００４０】
この場合、それぞれの識別マークの配置としては、図２に示すように、近傍させる方法（ａ）、一部分積層させる方法（ｂ）、または完全に重ね合わせる（ｃ）方法などが挙げられる。これは、貴重印刷物（１）の態様、識別領域（３）の範囲、及び識別マーク（９）の種類、形状、大きさ、色彩などによって適宜対応するものとする。
【００４１】
次に、基材となる用紙に識別領域を設け、その識別領域に二種類以上の異なる方法で、二種類以上の異なる識別マークを形成した場合について、実施例を用いて説明する。実施例１としては、凹版印刷層とフロッキー加工層の二種類の識別マークを形成する場合を示し、実施例２としては、ホログラムによる貼付層とフロッキー加工層の二種類の識別マークを形成する場合を示し、実施例３としては、微細穿孔による穿孔層とフロッキー加工層の二種類の識別マークを形成する場合を示す。
【実施例１】
【００４２】
図３に示す貴重印刷物は、銀行券（１）の態様を示し、基材となる用紙（２）に凹版印刷やオフセット印刷などの印刷方式で図柄、数字、模様など印刷したものである。
【００４３】
この銀行券（１）の用紙（２）のある一部分に、券種（例えば、銀行券の一万円券、五千円券、二千円券、千円券）が触感によって識別できるような識別領域（３）が設けてある。この識別領域（３）の範囲は２５ｍｍ〜３０ｍｍ程度が好ましい。
【００４４】
この識別領域（３）には、異なった二種類の付与方法により異なった二種類の識別マークを形成する。識別領域（３）に形成する識別マークの一つは、凹版印刷によって凹版インキ（４）を長方形で形成した凹版印刷層（以下、「識別マーク３Ａ」という。）であり、もう一つの識別マークは、フロッキー加工によってパイル（５）を長方形で形成したフロッキー加工層（以下、「識別マーク３Ｂ」という。）である。
【００４５】
識別マーク３Ａと識別マーク３Ｂの形状はともに、縦２０ｍｍ×横１０ｍｍの長方形の形状とする。しかし、この形状に制約されるものではなく、例えば、識別マーク３Ａ、識別マーク３Ｂを夫々異なる形状にしてもよく、また、識別マーク３Ａ、識別マーク３Ｂの形状は、円形状、多角形、棒状、図柄、模様、文字、記号などやそれらの組合せでも良い。
【００４６】
さらに、識別マーク３Ａ及び識別マーク３Ｂの縦幅（長辺方向）の長さを２０ｍｍとしたが、１０ｍｍ〜２５ｍｍ程度が好ましく、横幅（短辺方向）の長さを１０ｍｍとしたが、１０ｍｍ〜２０ｍｍ程度が好ましい。
【００４７】
また、識別マーク３Ａと識別マーク３Ｂの間隔は、長方形の横幅と同様１０ｍｍとしたが、０ｍｍ〜１５ｍｍ程度が好ましい。しかし、間隔を取らずに、０ｍｍ〜１０ｍｍ程度重なった状態としても構わない。ただし、識別マーク３Ａと識別マーク３Ｂが同形状で同じ大きさの場合は、二種類の識別マークを完全に重ねた状態とすると、上層に形成した識別マークしか識別できないため、重ね合わせを一部分とすることが好ましい。さらには、識別マーク３Ａ、識別マーク３Ｂが同形状で異なる大きさの場合は、小さい識別マークの上に大きい識別マークを形成すると、上層に形成した識別マークしか識別できないため、重ね合わせを一部分にするか、大きい識別マークの上に小さい識別マークを形成することが好ましい。
【００４８】
まず、識別マーク３Ａの付与方法としては、凹版印刷機によって用紙（２）の識別領域（３）に凹版印刷を行い、凹版印刷層を形成する。用紙（２）の表面に凹版インキ（４）が印刷されているため、用紙（２）の表面に対して盛り上がった状態となる。
【００４９】
この方法としては、拡大図３Ａ´に示すように、用紙（２）に対して識別マーク３Ａの全領域を凹版インキ（４）で被覆し、凹版インキ（４）の上端部のみに凹凸を形成する方法、または、拡大図３Ａ´´に示すように、用紙（２）に対して識別マーク３Ａを部分的に被覆し凹凸を形成する方法があるが、どちらの方法でも構わない。この際、凹版インキ（４）の用紙（２）に対する高さは０．１ｍｍで示したが、０．０５ｍｍ〜０．５ｍｍ程度が好ましい。
【００５０】
次に、識別マーク３Ｂの付与方法としては、フロッキー加工によって用紙（２）の識別領域（３）にパイル（５）を投錨行い、フロッキー加工層を形成する。パイルの長さは、図１の拡大図３Ｂ´のように、０．１ｍｍで示したが、０．０５ｍｍ〜０．５ｍｍ程度が好ましい。
【００５１】
図４に示すように、識別領域（３）を指（７）による触感で確認した場合、凹版印刷により凹版印刷層を形成した識別マーク３Ａの表面は、凹凸形状を有するのに対し、フロッキー加工によりフロッキー加工層を形成した識別マーク３Ｂの表面は、毛羽立ったような、独特な触感を確認することができ、識別マーク３Ａと識別マーク３Ｂとの相当な触感の違いから識別性が向上する。
【００５２】
また、識別マーク３Ａと識別マーク３Ｂの大きさや形状を変化させたり、それらの識別マークに相関関係を持たせたりすることによって、券種が複数ある銀行券（１）における券種の「触覚識別性」が向上する。さらには、識別マーク３Ｂに使用するパイルの色彩を、券種ごとに異ならせたりすることで「視覚識別性」も向上する。
【実施例２】
【００５３】
図５に示す貴重印刷物は、銀行券（１´）の態様を示し、基材となる用紙（２´）に凹版印刷やオフセット印刷などの印刷方式で図柄、数字、模様など印刷したものである。
【００５４】
この銀行券（１´）の用紙（２´）のある一部分に、券種（例えば、銀行券の一万円券、五千円券、二千円券、千円券）が触感によって識別できるような識別領域（３´）が設けてある。この識別領域（３´）の範囲は２５ｍｍ〜３０ｍｍ程度が好ましい。
【００５５】
この識別領域（３´）には、異なった二種類の付与方法により異なった二種類の識別マークを形成する。識別領域（３´）に形成する識別マークの一つは、ホログラム貼付機によってホログラム（６）を貼付した貼付層（以下、「マーク３Ｃ」という。）であり、もう一つの識別マークは、フロッキー加工によってパイル（５´）を長方形で形成したフロッキー加工層（以下、「識別マーク３Ｄ」という。）である。
【００５６】
識別マーク３Ｃの形状は、縦１２ｍｍ×横１５ｍｍの楕円形状とし、識別マーク３Ｄの形状は、縦２０ｍｍ×横１０ｍｍの長方形の形状とする。しかし、この形状に制約されるものではなく、例えば、識別マーク３Ｃ及び識別マーク３Ｄの形状は、円形状、多角形、棒状、図柄、模様、文字、記号などやそれらの組合せでも良い。
【００５７】
さらに、識別マーク３Ｃの縦幅を１２ｍｍとし、識別マーク３Ｄの縦幅（長辺方向）の長さを２０ｍｍとしたが、いずれも、１０ｍｍ〜２５ｍｍ程度が好ましい。また、識別マーク３Ｃの横幅を１５ｍｍとし、識別マーク３Ｄの縦幅（短辺方向）の長さを１０ｍｍとしたが、いずれも、１０ｍｍ〜２０ｍｍ程度が好ましい。
【００５８】
また、識別マーク３Ｃと識別マーク３Ｄの間隔は、長方形の横幅と同様１０ｍｍとしたが、０ｍｍ〜１５ｍｍ程度が好ましい。しかし、間隔を取らずに、０ｍｍ〜１０ｍｍ程度重なった状態としても構わない。ただし、識別マーク３Ｃと識別マーク３Ｄが同形状で同じ大きさの場合は、二種類の識別マークを完全に重ねた状態とすると、上層に形成した識別マークしか識別できないため、重ね合わせを一部分とすることが好ましい。さらには、識別マーク３Ｃ、識別マーク３Ｄが同形状で異なる大きさの場合は、小さい識別マークの上に大きい識別マークを形成すると、上層に形成した識別マークしか識別できないため、重ね合わせを一部分にするか、大きい識別マークの上に小さい識別マークを形成することが好ましい。
【００５９】
まず、識別マーク３Ｃの付与方法としては、ホログラム貼付機によって用紙（２´）の識別領域（３´）にホログラムの貼付を行い、貼付層を形成する。この方法としては、拡大図３Ｃ´に示すように、用紙（２）の表面にホログラムを貼付するため、用紙（２）に埋め込まれたような形態となる。
【００６０】
次に、識別マーク３Ｄの付与方法としては、フロッキー加工によって用紙（２´）の識別領域（３´）にパイルを投錨行い、フロッキー加工層を形成する。短繊維の長さは、図５の拡大図３Ｄのように、０．１ｍｍで示したが、０．０５ｍｍ〜０．５ｍｍ程度が好ましい。
【００６１】
図６に示すように、識別領域（３´）を指（７´）による触感で確認した場合、ホログラム（６）の貼付により貼付層を形成した識別マーク３Ｃの表面は、極めて平滑性のある「ツルツル感」を有するのに対し、フロッキー加工によりフロッキー加工層を形成した識別マーク３Ｄの表面は、毛羽立ったような触感を確認することができ、識別マークＣと識別マークＤとの相当な触感の違いから識別性が向上する。
【００６２】
また、識別マーク３Ｃと識別マーク３Ｄの大きさや形状を変化させたり、それらの識別マークに相関関係を持たせたりすることによって、券種が複数ある銀行券（１´）における券種の「触覚識別性」が向上する。さらには、識別マーク３Ｄに使用するパイルの色彩を、券種ごとに異ならせたりすることで「視覚識別性」も向上する。
【実施例３】
【００６３】
図７に示す貴重印刷物は、銀行券（１´´）の態様を示し、基材となる用紙（２´´）に凹版印刷やオフセット印刷などの印刷方式で図柄、数字、模様など印刷したものである。
【００６４】
この銀行券（１´´）の用紙（２´´）のある一部分に、券種（例えば、銀行券の一万円券、五千円券、二千円券、千円券）が触感によって識別できるような識別領域（３´´）が設けてある。この識別領域（３´´）の範囲は２５ｍｍ〜３０ｍｍ程度が好ましい。
【００６５】
この識別領域（３´´）には、異なった二種類の付与方法により異なった二種類の識別マークを形成する。識別領域（３´´）に形成する識別マークの一つは、レーザ照射装置、または穿孔機によって微細穿孔（８）を施した穿孔層（以下、「マーク３Ｅ」という。）であり、もう一つの識別マークは、フロッキー加工によってパイル（５´´）を長方形で形成したフロッキー加工層（以下、「識別マーク３Ｆ」という。）である。
【００６６】
識別マーク３Ｅの形状は、縦２０ｍｍ×横１５の“Ａ”と表す文字形状とし、識別マーク３Ｆの形状は、縦２０ｍｍ×横１０ｍｍの長方形の形状とする。しかし、この形状に制約されるものではなく、例えば、識別マーク３Ｅ及び識別マーク３Ｆの形状は、円形状、多角形、棒状、図柄、模様、文字、記号などやそれらの組合せでも良い。また、微細穿孔（８）は、用紙（２）を貫通していても、非貫通でも良い。
【００６７】
さらに、識別マーク３Ｅの縦幅を２０ｍｍとし、識別マーク３Ｆの縦幅（長辺方向）の長さを２０ｍｍとしたが、いずれも、１０ｍｍ〜２０ｍｍ程度が好ましい。また、識別マーク３Ｅの縦幅を１５ｍｍとし、識別マーク３Ｆの横幅（短辺方向）の長さを１０ｍｍとしたが、いずれも、１０ｍｍ〜２０ｍｍ程度が好ましい。
【００６８】
また、識別マーク３Ｅと識別マーク３Ｆの間隔は、長方形の横幅と同様１０ｍｍとしたが、０ｍｍ〜１５ｍｍ程度が好ましい。しかし、間隔を取らずに、０ｍｍ〜１０ｍｍ程度重なった状態としても構わない。ただし、識別マーク３Ｅと識別マーク３Ｆが同形状で同じ大きさの場合は、二種類の識別マークを完全に重ねた状態とすると、上層に形成した識別マークしか識別できないため、重ね合わせを一部分とすることが好ましい。
【００６９】
さらには、識別マーク３Ｅと識別マーク３Ｆが同形状で、識別マーク３Ｅが識別マーク３Ｆより大きい場合は、どちらを上層に形成しても良く完全に重ねた状態でもかまわない。一方、識別マーク３Ｅと識別マーク３Ｆが同形状で、識別マーク３Ｅが識別マーク３Ｆより小さく、識別マーク３Ｅが非貫通の場合は、識別マーク３Ｅを上層にするか、重ねる部分を一部分にすることが好ましい。また、後者の条件で識別マーク３Ｅが貫通の場合は、どちらを上層に形成してもよく完全に重ねた状態でもかまわない。ただし、識別マーク３Ｆを上層に形成した場合は、識別マーク３Ｆを貴重印刷物（１）の表面から識別することとなり、識別マーク３Ｅを貴重印刷物（１）の裏面から識別することとなる。
【００７０】
まず、識別マーク３Ｅの付与方法としては、レーザ照射装置、または穿孔機によって用紙（２´´）の識別領域（３´´）に微細穿孔加工を行い、穿孔層を形成する。レーザ照射装置によって用紙（２）に微細穿孔（８）を加工する場合、拡大図３Ｅ´に示すように、用紙（２）を貫通させる方法、または、拡大図３Ｅ´´に示すように、用紙（２）を貫通させない（非貫通）方法があるが、どちらの方法でも構わない。
【００７１】
次に、識別マーク３Ｆの付与方法としては、フロッキー加工によって用紙（２´´）の識別領域（３´´）にパイルを投錨行い、フロッキー加工層を形成する。短繊維の長さは、図７の拡大図３Ｆのように、０．１ｍｍで示したが、０．０５ｍｍ〜０．５ｍｍ程度が好ましい。
【００７２】
図８に示すように、識別領域（３´´）を指（７´´）による触感で確認した場合、微細穿孔（８）により穿孔層を形成した識別マーク３Ｅの表面は、ブツブツとした凹凸形状に似た触感を確認できるのに対し、フロッキー加工によりフロッキー加工層を形成した識別マーク３Ｆの表面は、毛羽立ったような触感を確認することができ、識別マークＥと識別マークＦとの相当な触感の違いから識別性が向上する。
【００７３】
また、識別マーク３Ｅと識別マーク３Ｆの大きさや形状を変化させたり、それらの識別マークに相関関係を持たせたりすることによって、券種が複数ある銀行券（１´´）における券種の「触覚識別性」が向上する。さらには、識別マーク３Ｆに使用するパイルの色彩を、券種ごとに異ならせたりすることで「視覚識別性」も向上する。
【００７４】
本発明を実施するための最良の形態において、貴重印刷物を銀行券の態様として記載したが、これに限定されるものではなく、その他にも諸証券、商品券、身分証明書、通行券、印紙類、パスポート、カード等が挙げられ、識別を必要とする態様のものをいう。
【００７５】
また、同様に、本発明を実施するための最良の形態において、貴重印刷物である銀行券における識別領域及び識別マークの好ましいサイズを記載したが、これに限定されるものではなく、貴重印刷物の態様、その貴重印刷物に形成する識別マークの種類、及び識別マークの形状や大きさによって任意に設計するものとする。
【００７６】
また、同様に、本発明を実施するための最良の形態において、異なる二種類の識別マークを形成する場合についてのみ記載したが、これに限定されるものではなく、複数種類の識別マークを組み合わせても良く、さらにはパイルを投錨したフロッキー加工層による識別マークを近傍配置で複数設け、それぞれの識別マークの形状、大きさ、及び色彩を変化させても良い。
【００７７】
また、同様に、本発明を実施するための最良の形態において、パイルを投錨したフロッキー加工層によって識別マークを形成し、その際に使用したパイルの長さを０．１ｍｍとしたが、識別マークの全面を同じ長さのパイルで投錨する必要はなく、パイルの長さを変えて投錨し、任意に長さを異ならせたフロッキー加工層を形成しても良い。
【図面の簡単な説明】
【００７８】
【図１】本発明における、フロッキー加工層を有した貴重印刷物を示す。
【図２】本発明における二種類の識別マークを使用した際の配置例を示す。
【図３】本発明における、凹版印刷層とフロッキー加工層とを有した貴重印刷物を示す。
【図４】本発明における、実施例１の識別方法を示す。
【図５】本発明における、貼付層とフロッキー加工層とを有した貴重印刷物を示す。
【図６】本発明における、実施例２の識別方法を示す。
【図７】本発明における、穿孔層とフロッキー加工層とを有した貴重印刷物を示す。
【図８】本発明における、実施例３の識別方法を示す。
【符号の説明】
【００７９】
１、１´、１´´  銀行券
２、２´、２´´  用紙
３、３´、３´´  識別領域
４  凹版インキ
５、５´、５´´  パイル（短繊維）
６  ホログラム
７、７´、７´´  指
８  微細穿孔
９  識別マーク
【図１】
2007094132.tif 000003
【図２】
2007094132.tif 000004
【図３】
2007094132.tif 000005
【図４】
2007094132.tif 000006
【図５】
2007094132.tif 000007
【図６】
2007094132.tif 000008
【図７】
2007094132.tif 000009
【図８】
2007094132.tif 000010